【手続補正書】
【提出日】平成15年9月29日(2003.9.29)
【手続補正１】
【補正対象書類名】明細書
【補正対象項目名】発明の名称
【補正方法】変更
【補正の内容】
【発明の名称】画像処理装置及び画像処理方法


【手続補正２】
【補正対象書類名】明細書
【補正対象項目名】特許請求の範囲
【補正方法】変更
【補正の内容】
【特許請求の範囲】
【請求項１】
励起光の照射により発光する発光画像が形成された記録媒体を供給する供給手段と、
この供給手段により供給された記録媒体を搬送する搬送手段と、
この搬送手段によって搬送される記録媒体の発光画像を消去する消去手段と、
を具備することを特徴とする画像処理装置。
【請求項２】
励起光の照射により発光する発光画像が形成された記録媒体を供給する供給手段と、
この供給手段により供給された記録媒体を搬送する第１の搬送手段と、
この第１の搬送手段によって搬送される前記記録媒体にその発光画像の発光強度を低下させる塗布剤を塗布する塗布手段と、
この塗付手段により塗付剤が塗付された記録媒体上の画像の発光強度を測定する測定手段と、
この測定手段により測定される前記画像の発光強度が所望の強度以下になるまで、前記塗布手段と前記測定手段に前記記録媒体を繰り返し搬送する第２の搬送手段と、
を具備することを特徴とする画像処理装置。
【請求項３】
文字情報及び励起光の照射により発光する発光画像が形成された記録媒体を供給する供給手段と、
この供給手段により供給された記録媒体を搬送する第１の搬送手段と、
この第１の搬送手段によって搬送される前記記録媒体にその発光画像の発光強度を低下させる塗布剤を塗布する塗布手段と、
この塗布手段により塗布剤が塗付された記録媒体上の発光画像の発光強度を測定する測定手段と、
この測定手段により測定された前記画像の発光強度が所望の強度以下になるまで、前記塗布手段と測定手段に前記記録媒体を繰り返し搬送する第２の搬送手段と、
前記測定手段の記録媒体搬送方向下流側に設けられ、前記記録媒体に形成された文字情報を読み取る読取手段と、
この読取手段の読取情報に基づいて励起光の照射により発光する発光画像を記録する記録手段と、
を具備することを特徴とする画像処理装置。
【請求項４】
文字情報が記録された記録媒体を供給する供給手段と、
この供給手段により供給された記録媒体を搬送する第１の搬送手段と、
この第１の搬送手段によって搬送される記録媒体に記録された文字情報を読み取る第１の読取手段と、
この第１の読取手段によって読み取られた情報に基づいて励起光の照射により発光する発光画像を記録する記録手段と、
この記録手段により記録された発光画像の情報を読み取る第２の読取手段と、
前記第１及び第２の読取手段により読み取られた情報を比較し、その読取情報が一致しているか否かを判定する判定手段と、
この判定手段により読取情報が一致していると判別されたときは前記記録媒体の搬送方向を第１の方向、読取情報が不一致であると判別されたときは第２の方向に切替える切換手段と、
この切換手段により第１の方向に切替えられた記録媒体を排出させる第１の排出手段と、
前記切換手段により第２の方向に切替えられた記録媒体を搬送する第２の搬送手段と、
この第２の搬送手段により搬送されてくる前記記録媒体に発光画像の発光強度を低下させる塗布剤を塗布する塗布手段と、
この塗布手段により塗布剤が塗布された発光画像の発光強度を測定する測定手段と、
この測定手段により測定される発光画像の発光強度が所望の強度以下になるまで、前記塗布手段と測定手段に記録媒体を繰り返し搬送する第３の搬送手段と、
この第３の搬送手段によって搬送される記録媒体の発光画像の発光強度が所望の強度以下になったとき該記録媒体を排出する第２の排出手段と、
を具備することを特徴とする画像処理装置。
【請求項５】
文字情報が記録された記録媒体を供給する供給手段と、
この供給手段により供給された記録媒体を搬送する第１の搬送手段と、
この第１の搬送手段によって搬送される記録媒体に記録された文字情報を読み取る第１の読取手段と、
この読取手段によって読み取られた情報に基づいて励起光の照射により発光する発光画像を記録する記録手段と、
この記録手段により記録された発光画像の情報を読み取る第２の読取手段と、
前記第１及び第２の読取手段により読み取られた情報を比較し、その読取情報が一致しているか否かを判定する判定手段と、
この判定手段により読取情報が一致していると判別されたときは前記記録媒体の搬送方向を第１の方向、読取情報が不一致であると判別されたときは第２の方向に切替える切換手段と、
この切換手段により第１の方向に切替えられた記録媒体を排出させる排出手段と、
前記切換手段により第２の方向に切替えられた記録媒体を搬送する第２の搬送手段と、
この第２の搬送手段により搬送されてくる前記記録媒体に発光画像の発光強度を低下させる塗布剤を塗布する塗布手段と、
この塗布手段により塗布剤が塗布された発光画像の発光強度を測定する測定手段と、
この測定手段により測定される発光画像の発光強度が所望の強度以下になるまで、前記塗布手段と測定手段に記録媒体を繰り返し搬送する第３の搬送手段と、
この第３の搬送手段により搬送される記録媒体の発光画像の発光強度が所望の強度以下になったとき該記録媒体を前記第１の読取手段に搬送する第４の搬送手段と、
を具備することを特徴とする画像処理装置。
【請求項６】
前記記録媒体は郵便物で、発光画像は宛名バーコードであること特徴とする請求項１乃至５の何れか一項に記載の画像処理装置。
【請求項７】
前記発光画像は紫外線照射により可視光線を発光することを特徴とする請求項１乃至５の何れか一項に記載の画像処理装置。
【請求項８】
前記塗布剤は紫外線吸収剤であることを特徴とする請求項２乃至５の何れか一項に記載の画像処理装置。
【請求項９】
前記塗布手段はインクジェット記録ヘッドであることを特徴とする請求項２乃至５の何れか一項に記載の画像処理装置。
【請求項１０】
前記塗布手段はローラであることを特徴とする請求項２乃至５の何れか一項に記載の画像処理装置。
【請求項１１】
前記塗布手段は刷毛体であることを特徴とする請求項２乃至５の何れか一項に記載の画像処理装置。
【請求項１２】
前記塗布手段は塗布剤を霧吹き状に塗布することを特徴とする請求項２乃至５の何れか一項に記載の画像処理装置。
【請求項１３】
励起光の照射により発光する発光画像が形成された記録媒体を供給する供給工程と、
この供給工程により供給された記録媒体を搬送する搬送工程と、
この搬送工程によって搬送される記録媒体の発光画像を消去する消去工程と、
を具備することを特徴とする画像処理方法。
【手続補正３】
【補正対象書類名】明細書
【補正対象項目名】０００１
【補正方法】変更
【補正の内容】
【０００１】
【発明の属する技術分野】
本発明は例えば、郵便物区分装置に用いられ、紫外線照射により可視光線を発光する蛍光インクで記録された宛名コードを消去する画像処理装置及び画像処理方法に関する。


【手続補正４】
【補正対象書類名】明細書
【補正対象項目名】００１７
【補正方法】変更
【補正の内容】
【００１７】
請求項５記載のものは、文字情報が記録された記録媒体を供給する供給手段と、
この供給手段により供給された記録媒体を搬送する第１の搬送手段と、
この第１の搬送手段によって搬送される記録媒体に記録された文字情報を読み取る第１の読取手段と、
この読取手段によって読み取られた情報に基づいて励起光の照射により発光する発光画像を記録する記録手段と、
この記録手段により記録された発光画像の情報を読み取る第２の読取手段と、前記第１及び第２の読取手段により読み取られた情報を比較し、その読取情報が一致しているか否かを判定する判定手段と、
この判定手段により読取情報が一致していると判別されたときは前記記録媒体の搬送方向を第１の方向、読取情報が不一致であると判別されたときは第２の方向に切替える切換手段と、
この切換手段により第１の方向に切替えられた記録媒体を排出させる排出手段と、
前記切換手段により第２の方向に切替えられた記録媒体を搬送する第２の搬送手段と、
この第２の搬送手段により搬送されてくる前記記録媒体に発光画像の発光強度を低下させる塗布剤を塗布する塗布手段と、
この塗布手段により塗布剤が塗布された発光画像の発光強度を測定する測定手段と、
この測定手段により測定される発光画像の発光強度が所望の強度以下になるまで、前記塗布手段と測定手段に記録媒体を繰り返し搬送する第３の搬送手段と、
この第３の搬送手段により搬送される記録媒体の発光画像の発光強度が所望の強度以下になったとき該記録媒体を前記第１の読取手段に搬送する第４の搬送手段とを具備する。
請求項１３記載のものは、励起光の照射により発光する発光画像が形成された記録媒体を供給する供給工程と、
この供給工程により供給された記録媒体を搬送する搬送工程と、
この搬送工程によって搬送される記録媒体の発光画像を消去する消去工程とを具備する。